(57)【要約】      （修正有）【課題】洗濯水などの処理水が流動していても、抗菌剤入り袋体の面を処理水の流動する方向に向くようにすることができ、その結果、除菌・抗菌効果の効率向上を図ることができる水処理用抗菌剤入り袋体を提供する。【解決手段】三角錐の水処理用抗菌剤入り袋体である。この袋体は、内袋２０と外袋３０とで構成された袋体内に水処理用抗菌剤１０を充填し、その襠に相当する箇所に帯状体４０を縫い合わせている。【選択図】図１
0003198214.tif 000002
【実用新案登録請求の範囲】
【請求項１】
内部に粒状の水処理用抗菌剤を充填した多面体の袋体であって、多面体の各面には、袋体内部に処理水が流通可能であるとともに粒状の水処理用抗菌剤を袋体内部に保持可能な水流通用開口が形成されている水処理用抗菌剤入り袋体。
【請求項２】
多面体は三角錐形状であり、袋体は網状であり、網状の開口部で前記水流通用開口を形成している請求項１記載の水処理用抗菌剤入り袋体。
【請求項３】
多面体の一部又は全部の稜線領域に、形状保持用の帯状体が設けられている請求項１又は２に記載の水処理用抗菌剤入り袋体。
【請求項４】
帯状体は吊るしフック用ガイドを取り付けている請求項３に記載の水処理用抗菌剤入り袋体。
【請求項５】
形状保持用の帯状体は、網状の布地から袋体を作る時の襠に相当する部材である請求項３又は４に記載の水処理用抗菌剤入り袋体。
【請求項６】
袋体は、粒状の水処理用抗菌剤を入れた多面体形状の網目状内袋と、内袋の外側に設けられる多面体形状の網目状外袋とを備え、内袋の網目は、粒状の水処理用抗菌剤を内部に保持するに十分な小ささを有し、外袋の網目は、処理用水を内部に流通させるのに十分な大きさを有している請求項１〜５のいずれか１項に記載の水処理用抗菌剤入り袋体。
【考案の詳細な説明】
【技術分野】
【０００１】
本考案は、被処理水中の真菌・細菌を除菌・抗菌をする水処理用抗菌剤入り袋体、特に、洗濯槽内に入れて、洗濯水中の真菌・細菌を除菌・抗菌をする水処理用抗菌剤入り袋体に関する。
【背景技術】
【０００２】
洗濯水の除菌・抗菌は、抗菌剤に含まれる銀イオン及び亜鉛イオンを洗濯水中の細菌の酵素と結合させて、その代謝機能を阻害するというメカニズムで行われていると推測される。
一般に、銀イオン等を含む抗菌剤は、袋内に充填されており、抗菌剤を充填した袋を洗濯槽に投入し、洗濯水を袋内に流通させて、袋内に充填された抗菌剤（銀イオン）に接触させることにより、除菌・抗菌している。
【０００３】
本考案者は、この種の抗菌剤を充填した袋は以下の課題があることを見出した。すなわち、洗濯槽に投入された抗菌剤入り袋体は洗濯水とともに流動しているが、流動する洗濯水からの水抵抗が少なくなる位置に動く傾向にあることを見出した。
【０００４】
例えば、袋体が円盤状であると、水抵抗を少なくするために、円盤の両面が洗濯水の流動方向に沿うような位置に動く傾向にある。しかし、袋体がこの様な位置にあると、洗濯水の流れ方向と平行になるので、洗濯水が抗菌剤を充填した袋内に流入する量が少なくなり、その結果、洗濯水が抗菌剤に接触する水量が少なくなり、除菌・抗菌効果の効率が低下する。
【０００５】
特許文献１は、水処理用抗菌剤を充填した通水性不織布の袋の洗濯用抗菌剤製品を開示し「不織布やネットは袋状となるが、袋の大きさは手分量での重量変化が確認しやすい大きさであることが好ましい。具体的には、縦横の幅が５〜１０ｃｍの範囲であることが好ましく、厚さに関しては限定はない。」と袋の大きさ、厚さに言及している。しかし、袋の形状に関してはなんら言及していない（特許文献１の段落0034参照）。
【先行技術文献】
【特許文献】
【０００６】
【特許文献１】特許第5392350号
【考案の概要】
【考案が解決しようとする課題】
【０００７】
本考案は、袋体の形状を特定することにより、洗濯水などの処理水が流動していても、抗菌剤入り袋体の面を処理水の流動する方向に向くようにすることができ、その結果、除菌・抗菌効果の効率向上を図ることができる水処理用抗菌剤入り袋体を提供するものである。
【課題を解決するための手段】
【０００８】
この課題を解決するために、本考案に係る水処理用抗菌剤入り袋体は以下の構成要素を備えている。
（１）内部に粒状の水処理用抗菌剤を充填した多面体の袋体である。
（２）多面体の各面には、袋体内部に処理水が流通可能であるとともに粒状の水処理用抗菌剤を袋体内部に保持可能な水流通用開口が形成されている水処理用抗菌剤入り袋体である。
【０００９】
本考案において、水処理とは、主に洗濯水の抗菌・防臭等を意図しているが、風呂水の抗菌、水槽の防藻なども含む。処理用抗菌剤は、従来公知の粒状の水処理用抗菌剤を使用することができる。一例を挙げれば、銀イオンと亜鉛イオンを含む抗菌剤をポリエチレン樹脂等に含浸させて粒状に加工したものがある。粒子は処理水と接触する表面積を高くするために小径とするのがよいが、粒子間に処理水の流路を適切に形成するとの観点、及び袋体内から粒子がこぼれないようにするとの観点から必要以上に小径とすることは望ましくはない。一般的には平均粒径１ｍｍ〜１０ｍｍ程度が好ましい。水処理用抗菌剤の充填密度は、粒子間を処理水が有効に流通し、他方、流動する処理水の水圧を受けても袋体の形状を維持できる程度の充填密度が好ましい。一般的には８５〜９５ｖｏｌ．％程度の充填密度が好ましい。
また、袋体の中には抗菌剤の他に他の目的の粉末等が含まれていてもよい。
【００１０】
「多面体」とは、一般に４つ以上の平面に囲まれた立体をいうが、本考案「多面体」は、これらに限らず、円錐等の曲面の辺を含む立体も本考案の「多面体」に含まれる。要は、「多面体」がどのような位置にあっても、流動する処理水が多面体の何れかの面に当たるような形状を有する立体形状を、本考案の「多面体」という。
縫製技術、コスト、生産性等を考慮すると、多面体として三角錐が好適である。
【００１１】
袋体は、網状（メッシュ又はネット）とすることにより、水流通用開口が形成される。袋体は、袋体内部に処理水が流通して処理水が粒状の水処理用抗菌剤に接触するようにしなければならず、一方で、粒状の水処理用抗菌剤が袋体内部に保持されるようにしなければならない。このため、袋体を内袋と外袋の二層構造とし、内袋は粒状の水処理用抗菌剤が袋体内部に保持される程度の開口を有し、外袋は内部に処理水が効率よく取り込まれる、ウ袋よりも大きな開口を有するようにするので良い。
【００１２】
袋体は、多面体の一部又は全部の稜線領域に、形状保持用の帯状体を設けて、袋体の形状保持を図るようにするのが好ましい。製造上の観点から、ネット状等の生地で袋体を縫製する際に、襠として硬めのバイアス生地を用い、そのことにより、袋体の形状を保持するようにするのがよい。
形状保持用の帯状体を設けることにより、袋体は処理水の水圧に抗して、その形状を維持することができる。その結果、流動する処理水が多面体の何れかの面に当たるため、処理水が袋体内部に効率よく取り込まれ、抗菌・除菌処理が的確になされる。
また、袋体の一辺に吊るしフック用ガイドを取り付けることにより、使用後の乾燥・保管に便利である。
【考案の効果】
【００１３】
本考案によれば、粒状の水処理用抗菌剤を充填した袋体として多面体を採用することにより、この袋体がどのような位置にあっても流動する処理水に対向する面が形成されて、処理水と面接触する。この結果、処理水と接触する面積が多くなり、除菌・抗菌効果を向上することができる。しかも、帯状体により袋体の形状を保持しているので、袋体が変形して処理水と接触する面積が小さくなるのを防止することができ、この結果、除菌・抗菌効果をさらに向上することができる。また、除菌・抗菌効果が向上するため、袋体に充填する粒状の水処理用抗菌剤を少なくすることができる。
【図面の簡単な説明】
【００１４】
【図１】図１は、本考案に係る三角錐の袋体の一例を示し、（ａ）は斜視図、（ｂ）は展開図、（ｃ）は断面図である。
【図２】図２は、本考案に係る三角錐の袋体の他の例を示し、（ａ）は斜視図、（ｂ）は展開図である。
【図３】図３は、本考案に係る多面体の袋体の他の例を示し、（ａ）多面体が正六面体、（ｂ）は円錐の例を示す。
【考案を実施するための形態】
【００１５】
以下本考案の実施例を、図面を参照して説明する。
【実施例】
【００１６】
図１に示す実施例は、粒状の水処理用抗菌剤を充填した三角錐の袋体である。この袋体は、図１（ａ）、図1（ｃ）に示すように、内袋２０と外袋３０とで構成された袋体内に水処理用抗菌剤１０を充填し、図１（ｂ）に示す布地から縫製され、その襠に相当する箇所に帯状体４０を縫い合わせている。
【００１７】
この袋体は一辺が９．５cmの三角錐形状である。粒状の水処理用抗菌剤１０は、銀イオン、亜鉛イオンを含んだ銀系の抗菌剤をポリエチレン樹脂に含浸させた粒径が約２ｍｍ程度のビーズ形状の粒子である。この抗菌剤は充填密度９２ｖｏｌ．％となるように、５０グラム充填される。
袋体は、抗菌剤を充填する内袋２０と処理用水に直接接する外袋３０とからなり、内袋２０、外袋３０ともにポリエステル１００％の素材からなり、ネット状である。内袋２０は充填された抗菌剤を保持できる程度の密なネット状であり、外袋３０は、処理水が流入できるように内袋よりも粗なネット状である。これら内袋２０、外袋３０は、図１（ｂ）に示す形状の布地の三辺を縫製することにより三角錘形状としている。縫製される三辺は、一辺毎にバイアス生地で覆い合わせてバイアス生地の表裏を縫い込んでいる。このことにより、袋体の形状を保持する帯状体４０が取り付けられる。このバイアス生地はポリエステル６５％、コットン３５％である。
また、一つの帯状体の中央部分には、吊るしフック用ガイド５０が取り付けられ、このガイドは使用後の乾燥、保持時に使用される。
【００１８】
図２（ａ）、（ｂ）に示す実施例は、粒状の水処理用抗菌剤を充填した三角錐の袋体である。図１と異なる点は、図１では三角錐とするための素材生地２２，３２の形状が菱形であったが、図２では三角形状であることである。その結果、この生地で縫製される袋体は、図１とは異なる三辺に帯状体４２が設けられ、その一辺に吊るしフック用ガイド５２が取り付けられている。
【００１９】
図３に示す実施例は、それぞれ異なる多面体を示し、（ａ）は六面体で、五辺に帯状体44が設けられ、その一辺に吊るしフック用ガイド５４が取り付けられている。（ｂ）は円錐体で、一辺及び円周面に帯状体４６が設けられ、その一辺に吊るしフック用ガイド５６が取り付けられている。
【符号の説明】
【００２０】
１０…粒状の水処理用抗菌剤
２０，２２…内袋
３０，３２，３４，３６…外袋
４０，４２，４４，４６…帯状体
５０，５２，５４，５６…吊るしフック用ガイド
【図１】
0003198214.tif 000003
【図２】
0003198214.tif 000004
【図３】
0003198214.tif 000005